(57)【要約】      （修正有）【課題】檀家が仏事に関する記入を使いやすく行うことができる手帳を提供する。【解決手段】複数ページをもった紙製の手帳１００であって、表表紙ページ１１０と、先祖に関する情報が記入される先祖情報ページ、営まれたまたは営まれる年忌法要に関する情報が記入される年忌法要情報ページ、営まれたまたは営まれる葬儀に関する情報が記入される葬儀情報ページからなる本体部１２０と、裏表紙ページ１３０と、を備える。【選択図】図１
0003213792.tif 000002
【実用新案登録請求の範囲】
【請求項１】
複数ページをもった紙製の手帳であって、
表表紙ページと、
先祖に関する情報が記入される先祖情報ページと、
営まれたまたは営まれる年忌法要に関する情報が記入される年忌法要情報ページと、
営まれたまたは営まれる葬儀に関する情報が記入される葬儀情報ページと、
裏表紙ページと、
を備えたことを特徴とする手帳。
【請求項２】
前記先祖情報ページには、先祖の名前に関する情報が記入される欄、先祖の往生日に関する情報が記入される欄、および先祖の年忌法要日に関する情報が記入される欄が設けられており、
前記年忌法要情報ページには、年忌法要の年度に関する情報が記入される欄、年忌法要の場所に関する情報が記入される欄、および年忌法要の日時に関する情報が記入される欄が設けられており、
前記葬儀情報ページには、往生に関する情報が記入される欄、通夜に関する情報が記入される欄、および葬儀に関する情報が記入される欄が設けられていることを特徴とする請求項１に記載の手帳。
【請求項３】
伝えたいことに関する情報が記入される伝えたいこと情報ページを備え、
前記表表紙ページには、檀家に関する情報が記入され、
前記年忌法要情報ページには、年忌法要時の会食に関する情報が記入され、
前記葬儀情報ページには、通夜後の会食、葬儀後の会食、および満中陰時の会食に関する情報が記入され、
前記裏表紙ページには、檀那寺に関する情報が記入されることを特徴とする請求項１または２に記載の手帳。
【考案の詳細な説明】
【技術分野】
【０００１】
本考案は、複数ページをもった紙製の手帳に関する。
【背景技術】
【０００２】
マンダラ思想に基づいた人生目標、ビジネス目標及びこれらを実現するための年間、月間、週間等の行動計画が記入できるようにしたマンダラ手帳が、知られている（たとえば、特許文献１参照）。
【０００３】
このようなマンダラ手帳は、たとえば、人生目標設定ページと、ビジネス目標設定ページと、年間行動計画ページと、月間行動計画ページと、週間行動計画ページと、チャートページと、から構成している。
【０００４】
人生目標設定ページは、一つの方形を略相似形の９コマに区分けし中央の１コマを人生目標欄に、他のコマを前記人生目標を達成するための人生計画欄にしたページである。ビジネス目標設定ページは、一つの方形を略相似形の９コマに区分けし中央の１コマをビジネス目標欄に、他のコマを前記ビジネス目標を達成するためのビジネス計画欄にしたページである。年間行動計画ページは、横軸を１２ケ月に区割りし縦軸を複数の年間行動計画に区割りすると共にこれの上段に計画、下段に結果を記入可能としたページである。月間行動計画ページは、横軸を１ケ月分の日割りにし縦軸を複数の月間行動計画に区割りすると共に上段に計画、下段に結果を記入可能としたページである。週間行動計画ページは、一つの方形を略相似形の９コマに区分けし中央の１コマを週間目標、計画、指示欄に、他のコマのいずれか１コマを週間評価、分析、反省欄に及び残りのコマを７日分の行動計画欄にしたページである。チャートページは、一つの方形を略相似形の９コマに区分けし中央の１コマを問題として掲げたテーマ欄に他のコマを問題解決の手段欄にしたページである。
【先行技術文献】
【特許文献】
【０００５】
【特許文献１】実公平６−２８２９４号公報
【考案の概要】
【考案が解決しようとする課題】
【０００６】
しかしながら、従来の手帳については、檀家が仏事に関する記入を使いやすく行うことは困難であった。
【０００７】
本考案は、上述された従来の課題を考慮し、檀家が仏事に関する記入をより使いやすく行うことができる手帳を提供することを目的とする。
【課題を解決するための手段】
【０００８】
第１の本考案は、複数ページをもった紙製の手帳であって、
表表紙ページと、
先祖に関する情報が記入される先祖情報ページと、
営まれたまたは営まれる年忌法要に関する情報が記入される年忌法要情報ページと、
営まれたまたは営まれる葬儀に関する情報が記入される葬儀情報ページと、
裏表紙ページと、
を備えたことを特徴とする手帳である。
【０００９】
これにより、先祖に関する情報が記入される先祖情報ページと、営まれたまたは営まれる年忌法要に関する情報が記入される年忌法要情報ページと、営まれたまたは営まれる葬儀に関する情報が記入される葬儀情報ページと、を備えるので、檀家が仏事に関する記入をより使いやすく行うことができる。
【００１０】
第２の本考案は、前記先祖情報ページには、先祖の名前に関する情報が記入される欄、先祖の往生日に関する情報が記入される欄、および先祖の年忌法要日に関する情報が記入される欄が設けられており、
前記年忌法要情報ページには、年忌法要の年度に関する情報が記入される欄、年忌法要の場所に関する情報が記入される欄、および年忌法要の日時に関する情報が記入される欄が設けられており、
前記葬儀情報ページには、往生に関する情報が記入される欄、通夜に関する情報が記入される欄、および葬儀に関する情報が記入される欄が設けられていることを特徴とする第１の本考案の手帳である。
【００１１】
これにより、年忌法要情報ページには、年忌法要の年度に関する情報が記入される欄、年忌法要の場所に関する情報が記入される欄、および年忌法要の日時に関する情報が記入される欄が設けられており、葬儀情報ページには、往生に関する情報が記入される欄、通夜に関する情報が記入される欄、および葬儀に関する情報が記入される欄が設けられているので、手帳を極めて実用的なものとすることができる。
【００１２】
第３の本考案は、伝えたいことに関する情報が記入される伝えたいこと情報ページを備え、
前記表表紙ページには、檀家に関する情報が記入され、
前記年忌法要情報ページには、年忌法要時の会食に関する情報が記入され、
前記葬儀情報ページには、通夜後の会食、葬儀後の会食、および満中陰時の会食に関する情報が記入され、
前記裏表紙ページには、檀那寺に関する情報が記入されることを特徴とする第１または第２の本考案の手帳である。
【００１３】
これにより、伝えたいことに関する情報が記入される伝えたいこと情報ページを備えるので、手帳を極めて有意義なものとすることができる。
【考案の効果】
【００１４】
本考案により、檀家が仏事に関する記入をより使いやすく行うことが可能な手帳を提供することができる。
【図面の簡単な説明】
【００１５】
【図１】本考案における実施の形態の手帳の模式的な斜視図
【図２】本考案における実施の形態の手帳のページの説明図（その一）
【図３】本考案における実施の形態の手帳のページの説明図（その二）
【図４】本考案における実施の形態の手帳のページの説明図（その三）
【図５】本考案における実施の形態の手帳のページの説明図（その四）
【図６】本考案における実施の形態の手帳のページの説明図（その五）
【図７】本考案における実施の形態の手帳のページの説明図（その六）
【図８】本考案における実施の形態の手帳のページの説明図（その七）
【図９】本考案における実施の形態の手帳のページの説明図（その八）
【図１０】本考案における実施の形態の手帳のページの説明図（その九）
【図１１】本考案における実施の形態の手帳のページの説明図（その十）
【図１２】本考案における実施の形態の手帳のページの説明図（その十一）
【図１３】本考案における実施の形態の手帳のページの説明図（その十二）
【図１４】本考案における実施の形態の手帳のページの説明図（その十三）
【考案を実施するための形態】
【００１６】
以下、図面を参照しながら、本考案における実施の形態について詳細に説明する。
【００１７】
はじめに、図１を参照しながら、本実施の形態の手帳１００について具体的に説明する。
【００１８】
ここに、図１は、本考案における実施の形態の手帳１００の模式的な斜視図である。
【００１９】
本実施の形態においては、手帳１００のサイズは記入が容易である１４８ミリメートル×２１０ミリメートルのＡ５サイズである。
【００２０】
なお、変形例の実施の形態においては、手帳１００のサイズは、たとえば、収納が容易である１２８ミリメートル×１８２ミリメートルのＢ６サイズであってもよい。
【００２１】
本実施の形態においては、手帳１００の製本は、仏教書のように、縦書きに適していると言われる右綴じを利用して行われている。
【００２２】
なお、変形例の実施の形態においては、手帳１００の製本は横書きに適していると言われる左綴じを利用して行われていてもよい。
【００２３】
手帳１００は、表表紙部１１０と、本体部１２０と、裏表紙部１３０と、綴じ部１４０と、を有する。
【００２４】
表表紙部１１０は、Ａ５サイズに対応した１枚の矩形形状の紙部材を利用して構成されている。本体部１２０は、Ａ５サイズに対応した２６枚の矩形形状の紙部材を利用して構成されている。裏表紙部１３０は、Ａ５サイズに対応した１枚の矩形形状の紙部材を利用して構成されている。
【００２５】
綴じ部１４０は、表表紙部１１０、本体部１２０および裏表紙部１３０の２８（＝１＋２６＋１）枚の紙部材を右側で綴じている。
【００２６】
もちろん、表表紙部１１０、本体部１２０および裏表紙部１３０の紙部材のページの何れについても、製本が右綴じを利用して行われるように、綴じ部１４０のためのマージンが設けられている。
【００２７】
本実施の形態においては、手帳１００の製本は、丈夫であると言われる、紙の背が糸も針金も使わないで糊で固められる無線綴じを利用して行われている。
【００２８】
なお、変形例の実施の形態においては、手帳１００の製本は、大きく開きやすいと言われる、二つ折にされた紙の折目の部分が針金で留められる中綴じを利用して行われていてもよい。
【００２９】
手帳１００は、本実施の形態においては５６（＝２８×２）ページをもった紙製の手帳であるが、要するに、複数ページをもった紙製の手帳である。
【００３０】
つぎに、図２〜１４を主として参照しながら、本実施の形態の手帳１００についてより具体的に説明する。
【００３１】
ここに、図２〜１４は、本考案における実施の形態の手帳１００のページの説明図（その一から十三）である。
【００３２】
図２および３は、表表紙部１１０について説明する。図２には、表表紙部１１０の外側ページの構成が示されている。図３には、表表紙部１１０の内側ページの構成が示されている。
【００３３】
図４〜１３は、本体部１２０について説明する。図４には、ページ番号１が割振られる本体部１２０のページの構成が示されている。図５にはページ番号２が割振られる本体部１２０のページの構成が示されているが、ページ番号３〜８の何れかが割振られる本体部１２０のページの構成はページ番号２が割振られる本体部１２０のページの構成と同様である。図６には、ページ番号９が割振られる本体部１２０のページの構成が示されている。図７には、ページ番号１１が割振られる本体部１２０のページの構成が示されている。図８にはページ番号１２が割振られる本体部１２０のページの構成が示されているが、ページ番号１３〜２７の何れかが割振られる本体部１２０のページの構成はページ番号１２が割振られる本体部１２０のページの構成と同様である。図９には、ページ番号２９が割振られる本体部１２０のページの構成が示されている。図１０にはページ番号３０が割振られる本体部１２０のページの構成が示されているが、ページ番号３２、３４、３６、３８、４０、４２および４４の何れかが割振られる本体部１２０のページの構成はページ番号３０が割振られる本体部１２０のページの構成と同様である。図１１にはページ番号３１が割振られる本体部１２０のページの構成が示されているが、ページ番号３３、３５、３７、３９、４１、４３および４５の何れかが割振られる本体部１２０のページの構成はページ番号３１が割振られる本体部１２０のページの構成と同様である。図１２にはページ番号４６が割振られる本体部１２０のページの構成が示されているが、ページ番号４７〜５１の何れかが割振られる本体部１２０のページの構成はページ番号４６が割振られる本体部１２０のページの構成と同様である。図１３には、ページ番号５２が割振られる本体部１２０のページの構成が示されている。
【００３４】
図１４は、裏表紙部１３０について説明する。図１４には、裏表紙部１３０の外側ページの構成が示されている。
【００３５】
（Ａ）図２および３を主として参照しながら、表表紙部１１０について説明する。
【００３６】
表表紙部１１０は、上述されたように、１枚の矩形形状の紙部材を利用して構成されている。
【００３７】
表表紙部１１０の外側ページの構成は、図２に示されている。
【００３８】
なお、変形例の実施の形態においては、当該ページの全部または一部には、たとえば、仏壇保管における探しやすさを向上させるための蛍光顔料が塗布されていてもよい。
【００３９】
表表紙部１１０の外側ページには、文言「お仏壇手帳」が縦書きで印刷されており、檀家名「〇〇家」が文言「お仏壇手帳」の左側に縦書きで印刷されている。檀家名「〇〇家」における「〇〇」は上述された蛍光顔料なども塗布されていない空白が設けられていることを意味しており、檀家が記入を行うことができる。
【００４０】
このように、表表紙部１１０の外側ページは、本考案の表表紙ページの一例である。そして、当該ページには、檀家に関する情報が記入される。
【００４１】
表表紙部１１０の内側ページの構成は、図３に示されている。
【００４２】
表表紙部１１０の内側ページには、檀家または檀那寺が「わが家のお寺」に関する記入を行うことができるとともに、「宗名宗派」、「宗祖」、「本山」、「本尊」および「聖典」が具体的な内容をともなって印刷されている。
【００４３】
（Ｂ）図４〜１３を主として参照しながら、本体部１２０について説明する。
【００４４】
本体部１２０は、上述されたように、２６枚の矩形形状の紙部材を利用して構成されており、ページ番号１〜５２が順番に割振られる、５２（＝２６×２）ページをもつ。
【００４５】
ページ番号１が割振られる本体部１２０のページの構成は、図４に示されている。
【００４６】
ページ番号１が割振られる本体部１２０のページには、タイトル「わが家の仏様」が縦書きで印刷されている。
【００４７】
ページ番号２〜８の何れかが割振られる本体部１２０のページの構成は、図５に示されており、全て同様である。
【００４８】
ページ番号２〜８の何れかが割振られる本体部１２０のページには、檀家が「わが家の仏様」に関する記入を行うことができる。
【００４９】
ページ番号９が割振られる本体部１２０のページの構成は、図６に示されており、ページ番号２〜８の何れかが割振られる本体部１２０のページの構成と類似である。
【００５０】
ページ番号９が割振られる本体部１２０のページには、檀家が「わが家の仏様」に関する記入を行うことができるとともに、「年忌の数え方」が当該ページの左側に縦書きで具体的な内容をともなって印刷されている。
【００５１】
このように、ページ番号２〜９の何れかが割振られる本体部１２０のページは、先祖に関する情報が記入される本考案の先祖情報ページの一例である。そして、当該ページには、先祖の名前に関する情報が記入される欄、先祖の往生日に関する情報が記入される欄、および先祖の年忌法要日に関する情報が記入される欄が設けられている。
【００５２】
ページ番号１０が割振られる本体部１２０のページの構成は、白紙構成である。
【００５３】
ページ番号１１が割振られる本体部１２０のページの構成は、図７に示されている。
【００５４】
ページ番号１１が割振られる本体部１２０のページには、タイトル「年忌法要」が縦書きで印刷されている。
【００５５】
ページ番号１２〜２７の何れかが割振られる本体部１２０のページの構成は、図８に示されており、全て同様である。
【００５６】
ページ番号１２〜２７の何れかが割振られる本体部１２０のページには、檀家が「年忌法要」に関する記入を行うことができる。
【００５７】
このように、ページ番号１２〜２７の何れかが割振られる本体部１２０のページは、営まれたまたは営まれる年忌法要に関する情報が記入される本考案の年忌法要情報ページの一例である。そして、当該ページには、年忌法要の年度に関する情報が記入される欄、年忌法要の場所に関する情報が記入される欄、および年忌法要の日時に関する情報が記入される欄が設けられており、年忌法要時の会食に関する情報が記入される。
【００５８】
年忌法要時の会食に関する記入を行うことができるので、手帳１００が極めて実用的なものとなる。
【００５９】
ページ番号２８が割振られる本体部１２０のページの構成は、白紙構成である。
【００６０】
ページ番号２９が割振られる本体部１２０のページの構成は、図９に示されている。
【００６１】
ページ番号２９が割振られる本体部１２０のページには、タイトル「葬儀の記録」が縦書きで印刷されている。
【００６２】
ページ番号３０、３２、３４、３６、３８、４０、４２および４４の何れかが割振られる本体部１２０のページの構成は、図１０に示されており、全て同様である。
【００６３】
ページ番号３０、３２、３４、３６、３８、４０、４２および４４の何れかが割振られる本体部１２０のページには、檀家が「往生」から「通夜」までの「葬儀の記録」に関する記入を行うことができる。
【００６４】
ページ番号３１、３３、３５、３７、３９、４１、４３および４５の何れかが割振られる本体部１２０のページの構成は、図１１に示されており、全て同様である。
【００６５】
ページ番号３０、３２、３４、３６、３８、４０、４２および４４の何れかが割振られる本体部１２０のページには、檀家が「葬儀」から「満中陰」までの「葬儀の記録」に関する記入を行うことができる。
【００６６】
このように、ページ番号３０〜４５の何れかが割振られる本体部１２０のページは、営まれたまたは営まれる葬儀に関する情報が記入される本考案の葬儀情報ページの一例である。そして、当該ページには、往生に関する情報が記入される欄、通夜に関する情報が記入される欄、および葬儀に関する情報が記入される欄が設けられており、通夜後の会食、葬儀後の会食、および満中陰時の会食に関する情報が記入される。
【００６７】
通夜後の会食、葬儀後の会食、および満中陰時の会食に関する記入を行うことができるので、手帳１００が極めて実用的なものとなる。
【００６８】
ページ番号４６〜５１の何れかが割振られる本体部１２０のページの構成は、図１２に示されており、全て同様である。
【００６９】
ページ番号４６〜５１の何れかが割振られる本体部１２０のページには、檀家が「伝えたいこと」に関する記入を行うことができる。
【００７０】
このように、ページ番号４６〜５１の何れかが割振られる本体部１２０のページは、伝えたいことに関する情報が記入される本考案の伝えたいこと情報ページの一例である。
【００７１】
末代に伝えておかなければならない「わが家」のこと、および万が一の時に子や孫が困らないように伝えたいことに関する記入を行うことができるので、手帳１００が極めて有意義なものとなる。
【００７２】
ページ番号５２が割振られる本体部１２０のページの構成は、図１３に示されている。
【００７３】
ページ番号５２が割振られる本体部１２０のページには、後書き
「先祖からたまわっているお仏壇に手を合わせ、感謝のうちに日々過ごしましょう。…（中略）…過去帳には書けないことや、覚えきれないことを書きとめ、年忌法要や葬儀に役立ててください。またこれを見たご子孫がみなさんの思いを伝え、末代まで相続されることを願っています。わからないことがあれば是非お寺に相談してください。」が注意書き
「本書の内容を無断で複写・複製することを禁じます」
とともに縦書きで印刷されている。
【００７４】
（Ｃ）図１４を主として参照しながら、裏表紙部１３０について説明する。
【００７５】
裏表紙部１３０は、上述されたように、１枚の矩形形状の紙部材を利用して構成されている。
【００７６】
裏表紙部１３０の内側ページの構成は、白紙構成である。
【００７７】
裏表紙部１３０の外側ページの構成は、図１４に示されている。
【００７８】
裏表紙部１３０の外側ページには、矩形形状の空白枠が印刷されている。空白枠は、たとえば、檀那寺のスタンプが押される空白が設けられていることを意味しており、檀那寺が記入を行うことができる。
【００７９】
このように、裏表紙部１３０の外側ページは、本考案の裏表紙ページの一例である。そして、当該ページには、檀那寺に関する情報が記入される。
【産業上の利用可能性】
【００８０】
本考案における手帳は、檀家が仏事に関する記入をより使いやすく行うことができ、複数ページをもった紙製の手帳に利用する目的に有用である。
【符号の説明】
【００８１】
１００  手帳
１１０  表表紙部
１２０  本体部
１３０  裏表紙部
１４０  綴じ部
【図１】
0003213792.tif 000003
【図２】
0003213792.tif 000004
【図３】
0003213792.tif 000005
【図４】
0003213792.tif 000006
【図５】
0003213792.tif 000007
【図６】
0003213792.tif 000008
【図７】
0003213792.tif 000009
【図８】
0003213792.tif 000010
【図９】
0003213792.tif 000011
【図１０】
0003213792.tif 000012
【図１１】
0003213792.tif 000013
【図１２】
0003213792.tif 000014
【図１３】
0003213792.tif 000015
【図１４】
0003213792.tif 000016